(57)【要約】【課題】  フラットパネルディスプレイが、導線のインピーダンスが異なるために信号が同期にならず、画像表示が不安定になることを防ぐ。【解決手段】  配線構造は、フラットパネルディスプレイの複数の画素端子と複数の信号端子との間に接続された複数の導線を備える。各導線は第１のインピーダンスを持つ第１の材料の第１の部分と、第２のインピーダンスを持つ第２の材料の第２の部分とを持つ。従って、各導線は同じインピーダンスを持ち、それによって同期した信号伝送を実現し、インピーダンス不一致および非同期な信号による不安定な表示品質を避ける。【選択図】      図３
2005321796.tif 000002
【特許請求の範囲】
【請求項１】
少なくとも複数の画素端子及び複数の信号端子を有するフラットパネルディスプレイに適した配線構造であって、前記複数の画素端子のピッチが前記複数の信号端子のピッチより大きく、前記配線構造が、
前記複数の画素端子及び前記複数の信号端子との間に接続された複数の導線とを備え、
前記複数の導線のそれぞれが、第１のインピーダンスを持つ第１の材料の第１の部分と、第２のインピーダンスを持つ第２の材料の第２の部分とを備え、且つ前記複数の導線のそれぞれが同じインピーダンスを有する、
ことを特徴とする配線構造。
【請求項２】
前記複数の導線のそれぞれが、折返し点により第１の直線部分と第２の直線部分とに区分けされていることを特徴とする請求項１に記載の配線構造。
【請求項３】
前記各導線の第１の直線部分が平行に配置されており、前記各導線の第２の直線部分も平行に配置されていることを特徴とする請求項２に記載の配線構造。
【請求項４】
前記各導線の前記第１の部分と前記第２の部分とがコネクタにより接続されることを特徴とする請求項３に記載の配線構造。
【請求項５】
前記コネクタが前記第１の直線部分上に設置されていることを特徴とする請求項４に記載の配線構造。
【請求項６】
前記コネクタが前記第２の直線部分上に設置されていることを特徴とする請求項４に記載の配線構造。
【請求項７】
画像を表示し、少なくとも複数の画素端子を備えるパネルと、
前記パネルを駆動し、少なくとも複数の信号端子を備える複数の集積回路（ＩＣ）であって、前記複数の画素端子のピッチが前記信号端子のピッチより大きい、前記集積回路と、
前記複数の画素端子と前記複数の信号端子との間に接続された複数の導線を有する配線構造であって、前記複数の導線のそれぞれが第１のインピーダンズを持つ第１の材料の第１の部分と、第２のインピーダンスを持つ第１の材料の第２の部分とを備え、且つ前記複数の導線のそれぞれが同じインピーダンスを有する前記配線構造と、
を有することを特徴とするフラットパネルディスプレイ。
【請求項８】
前記複数の導線のそれぞれが、折返し点により第１の直線部分と第２の直線部分とに区分けされていることを特徴とする請求項７に記載のフラットパネルディスプレイ。
【請求項９】
前記各導線の第１の直線部分が平行に配置されており、前記各導線の第２の直線部分も平行に配置されていることを特徴とする請求項８に記載のフラットパネルディスプレイ。
【請求項１０】
前記各導線の前記第１の部分と前記第２の部分とがコネクタにより接続されていることを特徴とする請求項９に記載のフラットパネルディスプレイ。
【請求項１１】
前記コネクタが前記第１の直線部分上に設置されていることを特徴とする請求項１０に記載のフラットパネルディスプレイ。
【請求項１２】
前記コネクタが前記第２の直線部分上に設置されていることを特徴とする請求項１０に記載のフラットパネルディスプレイ。
【発明の詳細な説明】
【技術分野】
【０００１】
本発明は配線構造とそれを利用するフラットパネルディスプレイに関する。
【背景技術】
【０００２】
液晶表示器（LCD）等の一般的なフラットパネルディスプレイは、各種の集積回路（ＩＣ）から画素端子に伝送される信号の通路として複数の導線を必要とする。フラットディスプレイの寸法が拡大すると、画素端子のピッチがＩＣの信号端子のピッチよりも大きくなる。異なるピッチでは信号伝達用の導線の長さやインピーダンスが異なるので、表示品質に影響を及ぼす。
【０００３】
図１は従来の配線構造を示す略図である。図１は従来の導線の配置方式を示し、各導線は単一の材料から成り、単一の直線を含んでいる。従来のＬＣＤの画素端子のピッチP1とＩＣの信号端子のピッチP2が異なるため、画素端子G1〜GN+1と信号端子T1〜TN+1との間の配線が異なる長さとインピーダンスを持つので、表示品質に影響を及ぼす。図２は、別の従来の配線構造を示す略図である。図２に示すように、各導線は２つの直線部分を含む。各導線の幅を調整しても、各導線はＬＣＤの制限された空間のためにまだ異なったインピーダンスを持つ。異なったインピーダンスのために、表示品質に影響を及ぼす。
【発明の開示】
【発明が解決しようとする課題】
【０００４】
従って、本発明の目的は、同じインピーダンスを持ち、且つ二つの異なる材料を有する複数の導線を利用する配線構造を提供することにある。
【課題を解決するための手段】
【０００５】
上記の目的を達成するため、本発明は、フラットパネルディスプレイの複数の画素端子と複数の信号端子との間に接続された複数の導線を備える配線構造を提供する。各導線は、第１のインピーダンズを持つ第１の材料の第１の部分と、第２のインピーダンスを持つ第２の材料の第２の部分とを持つ。
【発明の効果】
【０００６】
従って、各導線が同じインピーダンスを持つので、同期的な信号伝送が実現され、インピーダンスの不一致や非同期的な信号による不安定な表示品質が避けられる。
【発明を実施するための最良の形態】
【０００７】
以下図面に示された実施例を参照して、本発明の目的の達成に使われる技術手段と構造の特徴を詳細に説明する。
【０００８】
図３は、本発明の第１の実施の形態の配線構造を示す略図である。図３に示すように、配線構造は、フラットパネルディスプレイの複数の画素端子G1〜GN+1と複数の信号端子T1〜TN+1との間に接続された複数の導線L1〜LN+1を有する。各導線L1〜LN+1は、第１のインピーダンスを持つ第１の材料の第１の部分２０と第２のインピーダンスを持つ第２の材料の第２の部分３０とを有する。第１のインピーダンスは、第２のインピーダンスと異なる。各導線L1〜LN+1は、折返し点で第1の直線部分W1と、第２の直線部分W2とに区分けされている。各導線L1〜LN+1の第1の直線部分W1は平行に配置されており、且つ各導線L1〜LN+1の第２の直線部分W2も平行に配置されている。各導線Ｌ１〜ＬＮ＋１の第１の部分２０と第２の部分３０とは、第１の直線部分W1上に設置されたコネクタ１０を介して接続され、それによって各導線L1〜LN+1が同じインピーダンスを持っている。
【０００９】
図４は、本発明の実施の形態のコネクタの配置方式を示す図である。図４に示すように、各導線L1〜LN+1に同じインピーダンスを持たせるための方法を引き出すためにここでは２つの導線が部分的に図示されている。導線の第１の部分２０及び第２の部分３０のそれぞれ同じ長さの平行な部分は簡単化のために省略してある。図４から分かるように、斜めの線分aの長さは直線の線分bの長さより大きくなり、保証するため、コネクタ１０は、信号端子Ｔ１〜ＴＮ＋１の方向へ延びる直線上に配置されている。さらに、コネクタ１０によって必要とされる空間が斜め方向の導線の変動による影響を受けない。
【００１０】
コネクタ１０は、各導線L1〜LN+1の第１の部分２０と第２の部分３０とを接続する。各導線L1〜LN+1のインピーダンスは、下記の数１を用いて、各導線L1〜LN+1上のコネクタ１０の位置を調整することによって等しくされる。
【数１】
2005321796.tif 000003
【００１１】
従って、長さｃは、下記の数２によって計算される。
【数２】
2005321796.tif 000004
【００１２】
ここで、
Cは直線部分距離bと平行な第１の部分２０の長さを表わし、
WAは第２の部分３０の幅を表わし、
WBは第１の部分２０の幅を表わし、
χは第２の部分３０の抵抗係数を表わし、
ｍχは第１の部分２０の抵抗係数を表わす。
【００１３】
第１の導線L1を基準にし、上記数２を利用してもう一つの導線LN+1上のコネクタ１０の位置を求めることができる。更に、上記数２上の他のパラメータ、例えば、第１の部分２０及び第２の部分３０の幅を調整することによって、各導線のインピーダンスを等しくすることができる。
【００１４】
図５は本発明の第２の実施の形態によるフラットパネルディスプレイのブロック図である。図５に示すように、フラットパネルディスプレイ４０は、パネル５０と、複数の集積回路（ＩＣ）６０と、配線構造とを備える。パネル５０は、画像を表示し、少なくとも複数の画素端子Ｇ1〜ＧＮ＋1を有する。複数のＩＣ６０は、パネル５０を駆動し、少なくとも複数の信号端子T1〜TN+1を有する。複数の画素端子のピッチＰ１は、複数の信号端子のピッチP2よりも大きい。配線構造は、複数の画素端子Ｇ1〜ＧＮ＋1と複数の信号端子T1〜TN+1との間に接続される複数の導線L1〜LN+1を備える。各導線L1〜LN+1は第１のインピーダンスを持つ第１の材料の第1の部分２０と、第２のインピーダンズを持つ第２の材料の第２の部分３０とを有する。各導線L1〜LN+1は同じインピーダンスを有する。第１及び第２の実施の形態による配線構造の原理は同じである。従って、各導線L1〜LN+1は同じインピーダンスを有するので、同期した信号伝送を実現でき、インピーダンス不一致及び非同期な信号による不安定な表示品質が避けられる。
【００１５】
以上、本発明を、例を挙げて、好ましい実施の形態に関して詳述してきたが、本発明は、この開示された実施の形態に限られるものではない。逆に、（当業者によって明らかであるような）種々の変更や同様の構成を含むものである。従って、添付された請求の範囲の要旨は、そのような変更や同様な構成を包含するように最も広く解釈されるべきである。
【図面の簡単な説明】
【００１６】
【図１】従来の配線構造を示す略図である。
【図２】もう一つの従来の配線構造を示す略図である。
【図３】本発明の実施の形態の配線構造を示す略図である。
【図４】本発明の実施の形態のコネクタの配置方式を示す略図である。
【図５】本発明の実施の形態のフラットパネルディスプレイを示すブロック図である。
【符号の説明】
【００１７】
１０  コネクタ
２０  第１の部分
３０  第２の部分
４０  フラットパネルディスプレイ
５０  パネル
６０  集積回路（IC）
L1〜LN+1  複数の導線
G1〜GN+1  複数の画素端子
T1〜TN+1  複数の信号端子
P1  複数の画素端子のピッチ
P2  複数の信号端子のピッチ
W1  第１の直線部分
W2  第２の直線部分
【図１】
2005321796.tif 000005
【図２】
2005321796.tif 000006
【図３】
2005321796.tif 000007
【図４】
2005321796.tif 000008
【図５】
2005321796.tif 000009
【外国語明細書】
2005321796.tif 000010
2005321796.tif 000011
2005321796.tif 000012
2005321796.tif 000013
2005321796.tif 000014
2005321796.tif 000015
2005321796.tif 000016
2005321796.tif 000017
2005321796.tif 000018
2005321796.tif 000019
2005321796.tif 000020